(57)【要約】【課題】  床下空間や天井裏空間に用いる換気装置において、床下空間や天井裏空間に対して、付加的な作用を与えることができるものを提供する。【解決手段】  換気装置Ａには、シロッコファン６２が設けられ、内蔵されたモータによりこのシロッコファン６２を回転させることにより、上部カバー部４４の開口部形成部４６に形成された開口部から吸入された空気をルーバ４０から排出することにより、空気を循環させて換気する。上部カバー部４４の中央部４７の裏面には、紫外線を出力するＬＥＤを有するＬＥＤユニットが下向きに紫外線を出力するように取り付けられている。これにより、循環される空気に対して紫外線が照射されるようになっている。【選択図】        図２
2005257138.tif 000002
【特許請求の範囲】
【請求項１】
換気装置であって、
換気を行う機能を有する換気装置本体と、
紫外線を出力するＬＥＤと、
を有することを特徴とする換気装置。
【請求項２】
上記換気装置本体が、
回転力を出力するモータと、
該モータにより回転駆動されるファンと、
該ファンの周囲に設けられ、該ファンをカバーするカバー部と、
を有し、
上記ＬＥＤが、該カバー部に取り付けられていることを特徴とする請求項１に記載の換気装置。
【請求項３】
上記ＬＥＤが、上記ファンにより吸入・排気される空気の流路内に設けられていることを特徴とする請求項２に記載の換気装置。
【請求項４】
上記ＬＥＤが、上記空気の流路内におけるファンよりも上流側に設けられていることを特徴とする請求項２又は３に記載の換気装置。
【請求項５】
上記ＬＥＤが、カバー部において空気の吸入口が形成された吸入口形成部材の内側に設けられていることを特徴とする請求項２又は３又は４に記載の換気装置。
【請求項６】
上記ＬＥＤが、上記ファンが位置する方向に向けて紫外線が出力されるように設けられていることを特徴とする請求項２又は３又は４又は５に記載の換気装置。
【請求項７】
上記ファンは、ファンの回転軸の方向から吸入し、ファンの回転軸と直角の方向に排気する遠心式ファンであることを特徴とする請求項２又は３又は４又は５又は６に記載の換気装置。
【請求項８】
上記ファンの回転軸が略垂直となるように設けられ、上記カバー部が、ファンの上方をカバーする上部カバー部で、空気を吸入するための開口部を有する上部カバー部を有し、上記ＬＥＤが、該上部カバー部の裏面に紫外線を下向きに出力するように取り付けられていることを特徴とする請求項２又は３又は４又は５又は６又は７に記載の換気装置。
【請求項９】
上記換気装置が、複数の脚部を有し、複数の脚部における各脚部の底面の高さがそれぞれ調節可能であることを特徴とする請求項１又は２又は３又は４又は５又は６又は７又は８に記載の換気装置。
【発明の詳細な説明】
【技術分野】
【０００１】
本発明は、換気装置に関するものであり、特に、住宅の床下や天井裏の空間の空気を換気する換気装置に関するものである。
【背景技術】
【０００２】
従来より、住宅の床下や天井裏の空間を換気するための換気装置が存在する。
【０００３】
例えば、該換気装置としては、例えば、シロッコファンを用いて、装置の上側から空気を吸入し、装置の側方から吸入した空気を排出することにより装置の周囲の空気を循環させて撹拌することにより換気を行うものがある（特許文献１参照）。
【特許文献１】特開２００３−３０２０８５号
【発明の開示】
【発明が解決しようとする課題】
【０００４】
しかし、上記特許文献１に記載の換気装置においては、床下空間や天井裏空間の換気を行うことはできるが、床下空間や天井裏空間内の空気に対してより付加的な作用を与えることができるものが要望されていた。
【０００５】
そこで、本発明は、換気装置において、床下空間や天井裏空間に対して、付加的な作用を与えることができるものを提供することを目的とするものである。
【課題を解決するための手段】
【０００６】
本発明は上記問題点を解決するために創作されたものであって、第１には、換気装置であって、換気を行う機能を有する換気装置本体と、紫外線を出力するＬＥＤと、を有することを特徴とする。
【０００７】
この第１の構成の換気装置においては、紫外線を出力するＬＥＤが設けられているので、このＬＥＤにより紫外線を出力することにより、装置が設置された空間の空気中の浮遊菌の殺菌や空気中のウイルスの不活化を図ることができる。よって、床下空間や天井裏空間等カビが発生しやすい空間においても、該空間に設置することにより、カビや細菌の発生を防止することが可能となり、また、該空間内のウイルスを不活化でき、総じて該空間の環境を向上させることができる。よって、該空間内においてカビや細菌の発生を防止できるので、消臭も行なうことができ、居住空間内にカビや悪臭が侵入することがなく、生活環境を向上させることができる。特に、空間内の浮遊菌の殺菌やウイルスの不活化を行なうことができるので、設置空間の環境を十分向上させることができる。また、紫外線を出力する部材がＬＥＤであるので、省スペースに構成でき、よって、換気装置全体を小型化することが可能となる。また、ＬＥＤにより構成されているので、寿命を長くすることができ、取り替え頻度を少なくすることができる。また、ＬＥＤは容易には割れないので、安全である。特に、床下や天井裏等のように装置のメンテナンスが面倒な場所に設置する場合には、ＬＥＤは寿命が長く、また、損傷する可能性が低いので極めて有効である。また、紫外線を出力する部材をＬＥＤにより構成するので、使用電力も小さくすることができ、省エネを実現することができる。また、使用電流が小さいので、発熱量が小さく火災等のおそれもなく安全である。
【０００８】
なお、上記第１の構成を以下のようにしてもよい。すなわち、「換気装置であって、換気を行う機能を有する換気装置本体と、紫外線を出力する紫外線出力部で、ＬＥＤにより構成された紫外線出力部を有することを特徴とする換気装置。」としてもよい。
【０００９】
また、第２には、上記第１の構成において、上記換気装置本体が、回転力を出力するモータと、該モータにより回転駆動されるファンと、該ファンの周囲に設けられ、該ファンをカバーするカバー部と、を有し、上記ＬＥＤが、該カバー部に取り付けられていることを特徴とする。
【００１０】
この第２の構成の換気装置においては、ＬＥＤがカバー部に取り付けられているので、ファンにより吸入（吸引としてもよい。他においても同じ）・排気される空気の流路内に設置しやすくなり、換気される空気に対して効果的に紫外線を照射することが可能となる。
【００１１】
また、第３には、上記第２の構成において、上記ＬＥＤが、上記ファンにより吸入・排気される空気の流路内に設けられていることを特徴とする。これにより、換気される空気に対して効果的に紫外線を照射することができ、よって、効果的に、該空気中の浮遊菌の殺菌やウイルスの不活化を図ることができる。
【００１２】
また、第４には、上記第２又は第３の構成において、上記ＬＥＤが、上記空気の流路内におけるファンよりも上流側に設けられていることを特徴とする。このように、ＬＥＤがファンよりも上流側に設けられているので、その風速はファンの下流側に比べて低いため、単位体積当たりの空気に照射される紫外線の量をＬＥＤをファンの下流側に設ける場合に比べて多くでき、よって、殺菌やウイルス不活化の効率（以下単に殺菌効率とする）を高めることができる。また、ファンの上流側の位置は、いわば吸入される空気が集積される空間であるため、該空間内にＬＥＤを設けることにより殺菌効率を高めることができる。また、ファンの下流側に該ＬＥＤがあると、これが風の抵抗になって雑音が発生するおそれがあるが、ＬＥＤがファンの上流側に設けられているので、そのおそれもない。
【００１３】
また、第５には、上記第２から第４までのいずれかの構成において、上記ＬＥＤが、カバー部において空気の吸入口が形成された吸入口形成部材の内側に設けられていることを特徴とする。これにより、ＬＥＤがファンよりも上流側に設けられることになるので、その風速はファンの下流側に比べて低いため、単位体積当たりの空気に照射される紫外線の量をＬＥＤをファンの下流側に設ける場合に比べて多くでき、よって、殺菌効率を高めることができる。また、ファンの上流側の位置は、いわば吸入される空気が集積される空間であるため、該空間内にＬＥＤを設けることにより殺菌効率を高めることができる。また、ファンの下流側にＬＥＤがあると、これが風の抵抗になって雑音が発生するおそれがあるが、ＬＥＤがファンの上流側に設けられているので、そのおそれもない。また、ＬＥＤがカバー部の内側に設けられるので、カバー部内の各部の殺菌も行なうことができる。また、ＬＥＤがカバー部の内側に設けられることから、紫外線が外部に照射されるおそれが小さく、換気装置の近くのユーザの目に直接紫外線が当たることがなく、安全である。
【００１４】
また、第６には、上記第２から第５までのいずれかの構成において、上記ＬＥＤが、上記ファンが位置する方向に向けて紫外線が出力されるように設けられていることを特徴とする。これにより、紫外線が外部に照射されるおそれを小さくすることができ、換気装置の近くのユーザの目に直接紫外線が当たることがなく、安全である。
【００１５】
また、第７には、上記第２から第６までのいずれかの構成において、上記ファンは、ファンの回転軸の方向から吸入し、ファンの回転軸と直角の方向に排気する遠心式ファンであることを特徴とする。なお、遠心式ファンとしては、シロッコファン、ターボファン、ラジアルファン等が挙げられる。
【００１６】
また、第８には、上記第２から第７までのいずれかの構成において、上記ファンの回転軸が略垂直となるように設けられ、上記カバー部が、ファンの上方をカバーする上部カバー部で、空気を吸入するための開口部を有する上部カバー部を有し、上記ＬＥＤが、該上部カバー部の裏面に紫外線を下向きに出力するように取り付けられていることを特徴とする。
【００１７】
これにより、装置の上方から吸入して側方から排気するいわゆる循環型の換気装置において、ＬＥＤが上部カバー部の裏面に取り付けられているので、循環される空気の流路内に取り付けることができ、換気される空気を効果的に殺菌することが可能となる。また、紫外線を下向きに出力するように取り付けられているので、換気装置の近くのユーザーの目に直接紫外線が当たることがなく、安全である。
【００１８】
また、第９には、上記第１から第８までのいずれかの構成において、上記換気装置が、複数の脚部を有し、複数の脚部における各脚部の底面の高さがそれぞれ調節可能であることを特徴とする。このように、各脚部の底面の高さがそれぞれ調節可能であるので、換気装置を設置する状況に応じて脚部の高さを調整することにより、適切に設置することが可能となる。
【発明の効果】
【００１９】
本発明に基づく換気装置によれば、紫外線を出力するＬＥＤが設けられているので、このＬＥＤにより紫外線を出力することにより、装置が設置された空間の空気中の浮遊菌の殺菌や空気中のウイルスの不活化を図ることができる。よって、床下空間や天井裏空間等カビが発生しやすい空間においても、該空間に設置することにより、カビや細菌の発生を防止することが可能となり、また、該空間内のウイルスを不活化でき、総じて該空間の環境を向上させることができる。よって、該空間内においてカビや細菌の発生を防止できるので、消臭も行なうことができ、居住空間内にカビや悪臭が侵入することがなく、生活環境を向上させることができる。特に、空間内の浮遊菌の殺菌やウイルスの不活化を行なうことができるので、設置空間の環境を十分向上させることができる。また、紫外線を出力する部材がＬＥＤであるので、省スペースに構成でき、よって、換気装置全体を小型化することが可能となる。また、ＬＥＤにより構成されているので、寿命を長くすることができ、取り替え頻度を少なくすることができる。また、ＬＥＤは容易には割れないので、安全である。特に、床下や天井裏等のように装置のメンテナンスが面倒な場所に設置する場合には、ＬＥＤは寿命が長く、また、損傷する可能性が低いので極めて有効である。また、紫外線を出力する部材をＬＥＤにより構成するので、使用電力も小さくすることができ、省エネを実現することができる。また、使用電流が小さいので、発熱量が小さく火災等のおそれもなく安全である。
【発明を実施するための最良の形態】
【００２０】
本発明においては、床下空間や天井裏空間に対して、付加的な作用を与えることができる換気装置を提供するという目的を以下のようにして実現した。
【実施例１】
【００２１】
本発明の実施例１に基づく換気装置Ａは、図１〜図５に示されるように構成され、本体部１０と、脚部１００とを有している。
【００２２】
ここで、本体部１０は、ケース部２０と、回転駆動部６０と、マイナスイオン発生部７０と、紫外線発生部８０と、制御回路９０とを有している。なお、ケース部２０と回転駆動部６０とが上記換気装置本体を構成する。
【００２３】
ここで、ケース部２０は、下側ケース部２２と、上側ケース部３０とを有している。この下側ケース部２２は、略円柱状の形状を有し、内部に、シロッコファン６２を回転させるためのモータ６４や、マイナスイオン発生部７０におけるマイナスイオン発生回路７６や、ＬＥＤユニット８２に電源を供給するためのＬＥＤ電源供給回路８４が設けられている。また、この下側ケース部２２の下面には、図４に示すように、外周に沿って溝部２３が設けられ、この溝部２３には、脚部１００における部分脚部１１０ａ、１１０ｂ、１１０ｃにおける立設部１１４が挿入可能に形成されている。この溝部２３の深さは、少なくとも立設部１１４の高さ分の長さとなっている。なお、立設部１１４の内周側には、該立設部１１４の内周側の上端から下端にかけて上下方向に凹凸部１１４−１が設けられているが、ケース部２０の下面に設けられている該溝部２３には、該凹凸部１１４−１に噛み合う凹凸部２３−１が設けられていて、脚部１００を構成する各部分脚部が溝部２３内で周方向に移動しないように形成されている。また、凹凸部１１４−１における凹凸は等間隔に形成され、また、凹凸部２３−１における凹凸も等間隔に形成されているので、部分脚部１１０ａ、１１０ｂ、１１０ｃはいずれも下側ケース２２の下面側に設けられた溝部２３の周方向の任意の位置において互いの凹凸部を嵌合させた状態で挿入することができる。
【００２４】
また、該下側ケース部２２の側面には、複数（具体的には３つ）の長穴部２４が設けられている。この長穴部２４は、下側ケース部２２の外周面から下側ケース部２２に設けられた該溝部にまで至るように形成され、また、この長穴部２４は、上下方向に縦長の形成となっている。この長穴部２４は、各部分脚部を下側ケース部２２に対して上下方向に摺動させた場合に、部分脚部を固定するための固定具１２０を上下方向の所定範囲の任意の位置で固定できるようにするために、上下方向に長く形成されている。
【００２５】
次に、上側ケース部３０は、支持部３２と、ルーバ４０と、上部カバー部４４と、押え部５０とを有している。この上側ケース部３０は、上記「ファンをカバーするカバー部」に当たる。
【００２６】
支持部３２は、下側ケース部２２の上側に連設され、支持部本体３４と、突出部３６とを有し、該支持部本体３４は、平面状の上面部を有するとともに、該上面部の周縁からは下側にドーム状に湾曲した形状を呈している。この支持部本体３４は、平面視において円形状を呈している。また、突出部３６は、支持部本体３４の周端部から外側に突出した形状を呈している。突出部３６は、支持部本体３４に計３つ互いに対称の位置に形成されている。この各突出部３６には、押え部５０の側面部５６の下面に形成された穴部と嵌合する突状部３７が設けられている。つまり、各突出部３６の上面には、一対の突状部３７が設けられている。
【００２７】
また、ルーバ４０は、複数の通風孔を有する部材であり、円弧帯板状の横部材４０ａと、板状の縦部材４０ｂとを有し、該横部材４０ａの上面に縦部材を立設した状態で設けた構成となっていて、複数の通風孔４１が設けられている。ルーバ４０は、上側ケース部３０において計３つ互いに対称の位置に設けられている。このルーバ４０は、支持部３２に対しては、周端部の突出部３６間の位置に設けられ、また、上部カバー部４４に対しては、周端部の凹部４５ａ（後述）が設けられていない位置に設けられている。
【００２８】
また、上部カバー部４４は、上部カバー部本体４５と、開口部形成部４６とを有し、上部カバー部本体４５は、上部カバー部４４の外周側を構成し、略リング状の板状を呈している。つまり、上部カバー部本体４５の凹部４５ａ以外の外周と、上部カバー部本体４５の内周は、円形状を呈している。また、上部カバー部本体４５の外周側には、押え部５０の側面部５６が嵌合するための凹部４５ａが設けられている。つまり、凹部４５ａは、上部カバー部本体４５の外周側の互いに対称の位置（つまり、突出部３６に対応した位置）に計３つ形成されている。また、上部カバー部本体４５の中央に設けられた開口部には、開口部形成部４６が設けられている。この開口部形成部４６は、略円形の中央部４７と該中央部４７から放射状に伸びた板状部４８が所定間隔を介して複数設けられていて、該板状部４８間には、開口部４９が形成されている。この開口部形成部４６に形成された複数の開口部４９が循環される空気の吸入口となる。
【００２９】
また、押え部５０は、上部カバー部４４を支持部３２に押さえて固定するための部材であり、上面部５２と側面部５６とを有している。すなわち、上面部５２は、三つ又状に形成された板状部材であり、その中央には、円形の開口部５４が形成されている。また、側面部５６は、上面部５２の外周側の端部から下方に連設されていて、柱状を呈している。つまり、押え部５０には、側面部５６が計３つ設けられている。なお、この側面部５６の下面には、支持部３２に設けられた突状部３７が嵌入するための穴部（図示せず）が設けられている。
【００３０】
次に、回転駆動部６０について説明する。回転駆動部６０は、シロッコファン６２と、モータ６４とを有している。
【００３１】
シロッコファン（ファン）６２は、図２に示すように、水車状の略円柱形状を呈している。このシロッコファン６２は、羽根部６２ａと、下部支持部６２ｂと、上部支持部６２ｃとを有している。この下部支持部６２ｂは、羽根部６２ａを支持するための部材で、中央部が上方に突出した円形板状を呈している。つまり、環状の板状を呈する外板状部６２ｂ−１と、該外板状部６２ｂ−１の内周側に設けられ、略円錐台形状の側面の形状を呈する傾斜部６２ｂ−２と、該傾斜部６２ｂ−２の内周側に設けられ、環状の板状を呈する内板状部６２ｂ−３とを有している。また、この下部支持部６２ｂは、その中心位置に、モータ６４の回転軸を固定するための取付け部６２ｂ−４を有している。この取付け部６２ｂ−４により、モータ６４と、シロッコファン６２とが接続されることになる。
【００３２】
また、羽根部６２ａは、該下部支持部６２ｂの上側に取り付けられている。つまり、羽根部６２ａは、複数の羽根から構成され、各羽根は上記外板状部６２ｂ−１に固定されている。つまり、各羽根は、シロッコファン６２の側面の外周に沿って設けられているといえる。なお、羽根部６２ａは、シロッコファン６２の上方から吸入（吸引としてもよい）し、側方へ排気するような形状に形成されている。つまり、このシロッコファン６２は、シロッコファン６２の回転軸の方向から吸入し、該回転軸とは直角の方向に排気するものである。
【００３３】
また、上部支持部６２ｃは、環状を呈する部材であり、羽根部６２ａの上側に固定して設けられている。つまり、羽根部６２ａにおける各羽根は、下部支持部６２ｂと上部支持部６２ｃによって支持されているといえる。
【００３４】
シロッコファン６２は、上記のように構成されているので、シロッコファン６２の上方は開口した形状を呈している。そして、シロッコファン６２の上方から吸入した空気をシロッコファン６２の側方へ排気するように形成されている。このシロッコファン６２は、撹拌送風ファンであるといえる。
【００３５】
また、シロッコファン６２の表面には、光触媒塗料が塗布されている。この塗料は、特に、紫外線が照射されることにより光触媒機能を発揮する光触媒塗料であり、例えば、活性炭が含有された塗料である。この光触媒塗料が塗布されていることにより、シロッコファン６２に紫外線が照射されると、該塗料の光触媒機能が発揮される。この光触媒機能としては、消臭や殺菌等が挙げられる。
【００３６】
また、モータ６４は、該シロッコファン６２の下側に配設されている。つまり、モータ６４の回転軸にシロッコファン６２が取り付けられている。このモータ６４は、従来より家庭用の換気扇等に用いられている単相交流用のモータ等が用いられている。なお、モータ６４には、商用電源に接続される電源ケーブルが電気的に接続され、該電源ケーブルから供給される電源により回転駆動される。
【００３７】
次に、マイナスイオン発生部７０は、放電部７２と、マイナスイオン発生回路７６とを有している。この放電部７２は、図２に示すように、複数のピン７２ａから構成され、各ピン７２ａは所定の間隔を介して立設して設けられている。具体的には、３本のピン７２ａが支持部本体３４の外周に沿って所定の間隔を介して立設して設けられている。この放電部７２は、支持部３２には複数（具体的には３つ）設けられている。つまり、各放電部７２は、支持部３２における突出部３６間の位置に設けられている。
【００３８】
また、マイナスイオン発生回路７６は、放電部７２における各ピン７２ａ間に電圧を印加してピン７２ａ間で放電を生じさせる回路である。ピン７２ａにおいて放電を生じさせることにより、マイナスイオンが発生するように構成されている。
【００３９】
次に、紫外線発生部８０は、図５に示すように、ＬＥＤユニット８２と、ＬＥＤ電源供給回路８４とを有している。このＬＥＤユニット８２は、ＬＥＤ（発光ダイオード）（紫外線出力部）８２ａを有し（図３参照）、このＬＥＤ８２ａは、紫外線（具体的には、長波長（例えば、３６０〜４００ｎｍ）の紫外線）を出力する機能を有するＬＥＤである。具体的には、ＬＥＤユニット８２には、２つのＬＥＤ８２ａが設けられている。このＬＥＤ８２ａとしては、例えば、特開平９−８３６１号に記載の発光ダイオードを用いる。このＬＥＤユニット８２は、図３に示すように、上側ケース部３０の内側、すなわち、上部カバー部（吸入口形成部材）４４の裏面、つまり、内側に取り付けられている。具体的には、ＬＥＤユニット８２は、上部カバー部４４における中央部４７の内側に取り付けられている。これにより、空気の流路内におけるシロッコファン６２よりも上流側にＬＥＤユニット８２が設けられているといえる。なお、ＬＥＤユニット８２は、ＬＥＤユニット８２に設けられたＬＥＤ８２ａから出力される紫外線が換気装置Ａの内側、つまり、シロッコファン６２側に向けて出力されるように取り付けられている。つまり、紫外線が下側に向けて出力されるようになっている。この紫外線発生部８０は、ＬＥＤ８２ａから紫外線が出力して照射されることにより、循環する空気を殺菌するものである。
【００４０】
また、ＬＥＤ電源供給回路８４は、ＬＥＤユニット８２におけるＬＥＤ８２ａに電源を供給する回路であり、商用電源をＬＥＤ８２ａ用の電源に変換する（具体的には、交流１００Ｖを直流２４Ｖに変換する）機能を有している。
【００４１】
また、制御回路９０は、モータ６４と、マイナスイオン発生部７０と、紫外線発生部８０の動作を制御するものであり、モータ６４とマイナスイオン発生回路７６とＬＥＤ電源供給回路８４とに接続されている。この制御回路９０は、モータ６４を間欠動作させるとともに、モータ６４の動作中においては、マイナスイオン発生回路７６とＬＥＤ電源供給回路８４を動作させるように制御する。例えば、１日に所定時間（例えば、５時間）モータ６４を動作させるとともに、マイナスイオン発生回路７６とＬＥＤ電源供給回路８４を動作するように制御する。これにより、１日に所定時間モータ６４を動作させるとともに、マイナスイオン発生回路７６が動作されて、放電部７２からマイナスイオンが発生されるとともに、ＬＥＤ電源供給回路８４が動作されて、ＬＥＤ８２ａが点灯して紫外線が発生されることになる。つまり、モータ６４の動作中は、マイナスイオン発生部７０によりマイナスイオンが発生され、また、紫外線発生部８０により循環される空気が殺菌される。なお、モータ６４やマイナスイオン発生部７０や紫外線発生部８０の動作は、上記のように１日に所定時間としてもよいし、所定時間おきとしてもよい。
【００４２】
次に、脚部１００は、複数の部分脚部を有し、具体的には、部分脚部１１０ａと、部分脚部１１０ｂと、部分脚部１１０ｃとを有している。部分脚部１１０ａと部分脚部１１０ｂと部分脚部１１０ｃとは同じ構成であるので、部分脚部１１０ａを例にとって説明すると、部分脚部１１０ａは、基台部１１２と、立設部１１４とを有している。ここで、基台部１１２は、平面視略扇状形状を呈し、特に、略リング状の形状を３つに分割したうちの１つの形状を呈していて、その底面は、水平な平面を呈している。また、基台部１１２の上面は、やや傾斜して形成され、外側に行くに従い下方に傾斜した形状となっている。この基台部１１２の外周端に近い位置には、取付け部１１２ａが設けられ、この取付け部１１２ａは、凹部と該凹部から底面側に貫通する貫通穴とを有している。この取付け部１１２ａは、ネジや釘等を挿通して被固定部材に固定できるようになっている。
【００４３】
また、立設部１１４は、基台部１１２の内側の端部から上方に向けて連設され、筒状形状を３つに分割したうちの１つの形状を呈している。つまり、立設部１１４は、薄い扇状を呈し、外側は、円弧帯状の曲面状を呈し、内側は、円弧帯状の曲面に凹凸を形成した形状となっている。この凹凸は、下側ケース部２２の底面に形成された溝部に設けられた凹凸と嵌合して、部分脚部１１０ａが周方向に溝部内で周方向に移動しないように構成されている。また、立設部１１４には、固定具１２０を螺着するためのネジ穴１１４ａが設けられている。この立設部１１４は、下側ケース部２２の底面に形成された溝部内に設けられ、固定具１２０に設けられた軸部（この軸部には、ネジ溝が形成されている）を長穴部２４に挿通した上でネジ穴１１４ａに螺着させ、固定具１２０を締め付けることにより部分脚部１１０ａは、下側ケース部２２に固定される。なお、下側ケース部２２には、該長穴部２４が形成されているので、部分脚部１１０ａと固定具１２０とは上下方向に移動させることができ、部分脚部１１０ａの高さを調整したい場合には、固定具１２０をゆるめて部分脚部１１０ａの高さを調整した後に固定具１２０を締め付けることにより、部分脚部１１０ａの高さを調整することが可能となる。
【００４４】
なお、部分脚部１１０ｂと部分脚部１１０ｃは、部分脚部１１０ａと同様の構成であるので、詳しい説明を省略する。なお、各部分脚部を同じ高さにした場合には、各部分脚部の基台部は、３つの基台部により円環状を呈し、その外周端の形状は、円形を呈することになる。また、同様に、各部分脚部を同じ高さにした場合には、各部分脚部の立設部は、３つの立設部により略円筒状を呈することになる。
【００４５】
また、各部分脚部は、それぞれ独立しているので、各部分脚部ごとに所望の高さに設定することが可能である。このようにして、各部分脚部の底面の高さがそれぞれ調節可能となっている。
【００４６】
上記構成の換気装置Ａの使用状態について説明する。換気装置Ａは、脚部１００を下向きにした設置式にして設置することができるとともに、脚部１００を上向きにした吊り下げ式にして設置することができるが、まず、設置式にして設置する場合について説明すると、換気装置Ａを、例えば、住宅の床下に設置する。床下における具体的な設置位置の例としては、床下空間の中央位置に設置することにより、床下空間の空気を循環して撹拌させることができる。また、床下空間の角部に設置することにより、滞留した空気を撹拌することができる。床下空間に設置する例を図面を用いて説明すると、図８のようになり、換気装置ＡをＰ位置やＲ位置のように床下空間の中央位置に設置することにより、床下空間内の空気を撹拌することができる。また、換気装置ＡをＱ位置やＳ位置のように角部の空間に設置することにより、該角部に滞留する空気を撹拌することができる。
【００４７】
なお、図８において、Ｂ１、Ｂ２は、吸気型又は排気型の換気装置であり、換気装置Ｂ１は、外部の空気を床下内に吸気するタイプの換気装置であり、換気装置Ｂ２は、床下内の空気を外部に排気するタイプの換気装置である。
【００４８】
上記の例では、換気装置Ａを床下空間に載置して設置する場合を説明したが、天井裏空間に載置して設置するようにしてもよい。
【００４９】
なお、換気装置Ａを載置して設置するに当たり、本体部１０の高さを調整したい場合には、部分脚部１１０ａ、１１０ｂ、１１０ｃを固定するための固定具１２０を緩めて部分脚部を下側ケース部２２に対して摺動可能とし、部分脚部を所望の位置にした上で固定具１２０を締め付ける。脚部１００を最も伸ばした状態では、図６に示すようになり、固定具１２０の軸部は長穴部２４内において最下端位置に位置することになる。
【００５０】
また、上記換気装置Ａにおいては、部分脚部がそれぞれ独立して高さ調節可能であるので、載置位置が平面状でない場合でも、各部分脚部の高さを調節して設置することが可能である。例えば、図７に示すように、部分脚部１１０ａを部分脚部１１０ｂ、１１０ｃに対して上側にずらした状態にする等して載置位置の形状に合わせて設置することができる。
【００５１】
なお、換気装置Ａを載置する箇所に固定することが可能であれば、取付け部１１２ａにネジや釘を通した上で載置箇所に固定する。特に、床下空間内に載置する場合には、載置箇所に固定することなく、そのまま載置して設置してもよいが、天井裏空間に載置する場合には、載置箇所に固定するのが好ましい。
【００５２】
次に、換気装置Ａを吊り下げ式にして設置する場合には、脚部１００を上向きにして、脚部１００における部分脚部を被設置場所に固定することにより、吊り下げた状態にして設置する。例えば、換気装置Ａを住宅の床下に配設する場合であって、地面に直接設置することができない場合には、床下の梁に脚部１００を固定して換気装置Ａを吊り下げた状態とする。また、天井裏空間内で吊り下げた状態にして設置する場合にも、天井裏の梁に脚部１００を固定して換気装置Ａを吊り下げた状態とする。
【００５３】
なお、換気装置Ａを吊り下げて設置するに当たり、本体部１０の高さを調整したい場合には、部分脚部１１０ａ、１１０ｂ、１１０ｃを固定するための固定具１２０を緩めて部分脚部を下側ケース部２２に対して摺動可能とし、部分脚部を所望の位置にした上で固定具１２０を締め付ける。
【００５４】
また、上記換気装置Ａにおいては、部分脚部がそれぞれ独立して高さ調節可能であるので、脚部１００を固定する箇所が平面状でない場合でも、各部分脚部の高さを調節して設置することが可能である。
【００５５】
そして、所定のスイッチをオン操作することにより、制御回路９０による制御に従い、モータ６４が回転してシロッコファン６２が回転する。すると、上部カバー部４４に設けられた開口部４９から空気が吸入され、ルーバ４０から排出されて、換気装置Ａの周囲の空気が循環して撹拌される。
【００５６】
そして、制御回路９０の制御に従い、モータ６４が駆動している場合には、ＬＥＤ８２ａが点灯し、ＬＥＤ８２ａが点灯することにより紫外線が照射されるので、吸入された空気に対して紫外線が照射される。これにより、換気装置Ａを設置した空間（例えば、床下空間や天井裏空間）内の浮遊菌の殺菌や該空間内のウイルスの不活化を行うことができ、結果として、該空間内におけるカビの発生・繁殖を防止したり、該空間内の消臭にも寄与できる。また、シロッコファン６２には、上記のように光触媒塗料が塗布されているので、これによっても、換気装置Ａを設置した空間内の殺菌や消臭を行うことができる。よって、床下空間や天井裏空間はカビが発生しやすい環境にあるといえるが、換気装置Ａを設置することにより、空間内の空気を循環させるとともに、空間内の空気を殺菌するので、カビの発生を防止でき、消臭も行なうことができるので、居住空間内にカビや悪臭が侵入することがなく、生活環境を向上させることができる。
【００５７】
特に、紫外線を照射する部材がＬＥＤにより構成されているので、紫外線を照射する部材を省スペースに構成でき、よって、換気装置全体を小型化することが可能となる。また、紫外線を照射する部材がＬＥＤにより構成されているので、寿命を長くすることができ（具体的には、１０年以上）、紫外線を照射する部材の取り替え頻度を少なくすることができる。すなわち、紫外線を照射する部材を蛍光灯タイプの殺菌灯により構成すると、省スペースを図ることができず、また、寿命が短いが、本実施例の場合にはそのようなおそれがない。また、該殺菌灯の場合には、割れる可能性があるが、ＬＥＤは容易には割れないので、安全である。特に、本実施例の換気装置Ａは、床下や天井裏等のように装置のメンテナンスが面倒な場所に設置されるのが通常であるので、紫外線を照射する部材の寿命が長く、また、損傷する可能性が低いのは極めて有効である。また、本実施例では、紫外線を照射する部材がＬＥＤにより構成されるので、使用電力も小さくすることができ、省エネを実現することができる。また、使用電力が小さいので、その分発熱量も小さく、よって、火災等のおそれがなく安全である。
【００５８】
なお、上記のように、ＬＥＤユニット８２は、上部カバー部４４の裏面に取り付けられていて、いわば、換気される空気の流路（移動空間としてもよい）内に設けられているので、換気される空気を十分殺菌することが可能となる。
【００５９】
また、シロッコファン６２よりも上流側にＬＥＤユニット８２が設けられているので、その風速はシロッコファン６２の下流側に比べて低いため、単位体積当たりの空気に照射される紫外線の量をＬＥＤユニット８２をシロッコファン６２の下流側に設ける場合に比べて多くでき、よって、殺菌やウイルス不活化の効率を高めることができる。また、シロッコファン６２の上流側の位置は、いわば吸入される空気が集積される空間であるため、該空間内にＬＥＤユニット８２を設けることにより殺菌効率を高めることができる。また、仮にシロッコファン６２の下流側にＬＥＤユニット８２があると、これが風の抵抗になって雑音が発生するおそれがあるが、ＬＥＤユニット８２がシロッコファン６２の上流側に設けられているので、そのおそれもない。また、ＬＥＤユニット８２がケース部２０内に設けられているので、ケース部２０内の各部の殺菌も行なうことができる。また、ＬＥＤユニット８２が、上部カバー部４４の裏面に紫外線が下側に向けて出力されるように設けられているので、紫外線が出力されている状態でも、換気装置Ａの近くのユーザーの目に直接紫外線が当たることがなく、安全である。
【００６０】
また、ＬＥＤ８２ａが点灯している場合には、紫色に点灯するので、床下や天井裏等の暗い場所においては、該紫色の光が容易に視認でき、この紫色の光を視認することにより、換気装置Ａが運転状態にあることを容易に確認することができる。
【００６１】
また、制御回路９０の制御に従い、モータ６４が駆動している場合には、マイナスイオン発生部７０によりマイナスイオンが発生するので、これによる効果も得ることができる。例えば、換気装置Ａを床下空間や天井裏空間に設置することにより、発生したマイナスイオンが居住空間内に侵入して、人体に対する好影響を得ることが可能となる。
【００６２】
なお、上記の説明においては、ＬＥＤユニット８２を上部カバー部４４の裏面に取り付けるものとして説明したが、これには限られず、例えば、吸入して排気される空気の流路内に設けられていればよい。例えば、支持部本体３４の上面に設けるようにしてもよい。また、放電部７２についても、支持部本体３４の外周端近くに設けるものとして説明したが、これには限られず、例えば、吸入して排気される空気の流路内に設けられていればよい。また、ファンとして、シロッコファンを例に説明したが、ターボファンやラジアルファン等他の遠心式ファンであってもよい。
【実施例２】
【００６３】
なお、上記の説明では、循環型の換気装置である換気装置Ａに、マイナスイオン発生部７０や紫外線発生部８０を設けるものとして説明したが、図８に示すような、吸気型及び排気型の換気装置にマイナスイオン発生部７０や紫外線発生部８０を設けるようにしてもよい。
【００６４】
ここで、実施例２として、排気型の換気装置Ｂ２に紫外線発生部を設ける例を説明すると、換気装置Ｂ２は、図９〜図１１に示すように構成され、ベースパネル２１０と、ブラシレスモータ２２０と、クロスフローファン２３０と、カバー部２４０とを有している。
【００６５】
ここで、ベースパネル２１０は、略長方形状の板状に形成されていて、防水性を有するステンレス等により形成されている。このベースパネル２１０には、床下土台に取り付ける際にネジ等を挿通するための孔部２１０ａが複数設けられているとともに、外部への空気の排気を行う複数の開口部２１０ｂが複数設けられている。
【００６６】
また、ブラシレスモータ２２０は、図示略の駆動軸をクロスフローファン２３０側に向けた状態で横向きに固定されている。また、クロスフローファン２３０は、図１０に示すように、回転軸（図示略）に略平行に複数のブレード（羽根）２３０ａを有している。そして、該回転軸が図示略のベアリング等によって回転自在に軸支されている。また、該ブラシレスモータ２２０の駆動軸とクロスフローファン２３０の回転軸が接続されていて、ブラシレスモータ２２０の回転出力がクロスフローファン２３０に伝達されるようになっている。
【００６７】
また、カバー部２４０は、図９〜図１１に示すように、両側に略平行に設けられた端部側面部２４０ａ、２４０ｂと、該２つの端部側面部間に設けられた板状の湾曲部２４０ｃと、同じく該２つの端部側面部間に設けられた板状部２４０ｄとを有していて、該湾曲部２４０ｃと板状部２４０ｄは、接続された状態となっている。カバー部２４０は、ベースパネル２１０側を除いて換気装置Ｂ２の内部をカバーするように構成されている。ここで、板状部２４０ｄには、開口部２４２が複数設けられているとともに、湾曲部２４０ｃには、開口部２４４が設けられていて、これらの開口部２４２、２４４が空気の吸込口として機能するようになっている。
【００６８】
また、この換気装置Ｂ２には、紫外線発生部が設けられ、この紫外線発生部は、ＬＥＤ電源供給回路（図示せず）と、ＬＥＤユニット２５０、２５２とを有している。このＬＥＤ電源供給回路は、ＬＥＤユニット２５０、２５２におけるＬＥＤに電源を供給する回路である。また、ＬＥＤユニット２５０、２５２は、紫外線（具体的には、長波長紫外線）を発生するＬＥＤ（紫外線出力部）を有するものである。ＬＥＤユニット２５０は、板状部２４０ｄ（吸入口形成部材）の内側に取り付けられていて、装置の内側、すなわち、クロスフローファン２３０側の方向（つまり、Ｙ２方向）に紫外線を出力するように取り付けられている。また、ＬＥＤユニット２５２は、湾曲部２４０ｃ（吸入口形成部材）の内側に取り付けられていて、装置の内側、すなわち、クロスフローファン２３０側の方向（つまり、Ｘ２方向）に紫外線を出力するように取り付けられている。なお、ＬＥＤユニット２５０、２５２は、空気の流路においてクロスフローファン２３０よりも上流側に設けられているといえる。
【００６９】
上記構成の換気装置Ｂ２の動作について説明する。なお、換気装置Ｂ２は、図８のＢ２に示すように床下土台に取り付けられているものとする。まず、換気装置Ｂ２がオン状態の場合には、所定の電源（例えば、商用電源）によりブラシレスモータ２２０が回転駆動され、これにより、クロスフローファン２３０が回転する。そして、クロスフローファン２３０が所定の方向に回転することにより、カバー部２４０に設けられた開口部２４２、２４４から空気が吸入され、ベースパネル２１０に設けられた開口部２１０ｂから空気が排出される。以上のようにして、床下空間の空気が外部に排出されて、換気を行うことができる。
【００７０】
さらに、換気装置Ｂ２がオン状態となっている場合に、ＬＥＤ電源供給回路も動作され、ＬＥＤ電源供給回路からＬＥＤユニット２５０、２５２に電源が供給されて、ＬＥＤユニット２５０、２５２のＬＥＤが点灯される。すると、該ＬＥＤから紫外線が照射され、吸い込まれる空気に対して紫外線が照射される。これにより、換気装置Ｂ２を設置した空間（つまり、床下空間）内の浮遊菌の殺菌や該空間内のウイルスの不活化を行うことができ、結果として、該空間内におけるカビの発生・繁殖を防止したり、該空間内の消臭にも寄与できる。よって、床下空間はカビが発生しやすい環境にあるといえるが、換気装置Ｂ２を設置することにより、空間内の空気を浄化するので、カビの発生を防止でき、消臭も行なうことができるので、居住空間内にカビや悪臭が侵入することがなく、生活環境を向上させることができる。
【００７１】
特に、紫外線を照射する部材がＬＥＤにより構成されているので、紫外線を照射する部材を省スペースに構成でき、よって、換気装置全体を小型化することが可能となる。また、紫外線を照射する部材がＬＥＤにより構成されているので、寿命を長くすることができ、紫外線を照射する部材の取り替え頻度を少なくすることができる。また、該殺菌灯の場合には、割れる可能性があるが、ＬＥＤは容易には割れないので、安全である。また、本実施例では、紫外線を照射する部材がＬＥＤにより構成されるので、使用電力も小さくすることができ、省エネを実現することができる。また、使用電力が小さいので、その分発熱量も小さく、よって、火災等のおそれがなく安全である。
【００７２】
なお、上記のように、ＬＥＤユニット２５０、２５２は、カバー部２４０の内側の面に取り付けられていて、いわば、クロスフローファン２３０により移送される空気の流路（移動空間としてもよい）内に設けられているので、空気を十分殺菌することが可能となる。
【００７３】
また、空気の流路においてクロスフローファン２３０よりも上流側にＬＥＤユニット２５０、２５２が設けられているので、その風速はクロスフローファン２３０の下流側に比べて低いため、単位体積当たりの空気に照射される紫外線の量をＬＥＤユニット２５０、２５２をクロスフローファン２３０の下流側に設ける場合に比べて多くでき、よって、殺菌やウイルス不活化の効率を高めることができる。また、クロスフローファン２３０の上流側の位置は、いわば吸入される空気が集積される空間であるため、該空間内にＬＥＤユニット２５０、２５２を設けることにより殺菌効率を高めることができる。また、仮にクロスフローファン２３０の下流側にＬＥＤユニット２５０、２５２があると、これが風の抵抗になって雑音が発生するおそれがあるが、ＬＥＤユニット２５０、２５２がクロスフローファン２３０の上流側に設けられているので、そのおそれもない。また、ＬＥＤユニット２５０、２５２がカバー部２４０内に設けられているので、カバー部２４０内の各部の殺菌も行なうことができる。また、ＬＥＤユニット２５０、２５２が、カバー部２４０の裏面に装置の内側に向けて出力されるように設けられているので、紫外線が出力されている状態でも、換気装置Ｂ２の近くのユーザーの目に直接紫外線が当たることがなく、安全である。
【００７４】
なお、上記構成の換気装置Ｂ２においては、上記実施例１におけるマイナスイオン発生部を設けるようにしてもよい。
【００７５】
また、上記の説明においては、排気型の換気装置を例にとって説明したが、ブラシレスモータ２２０の回転方向を逆にして設定することにより、吸気型の換気装置Ｂ１とすることができる。つまり、ベースパネル２１０に設けられた開口部２１０ｂから空気を吸入し、カバー部２４０の開口部２４２、２４４から排気するようにすることにより、図８に示す換気装置Ｂ１として使用することができる。なお、この場合には、ＬＥＤユニットは、ベースパネル２１０の内側に設けて、クロスフローファン２３０の上流側に設けるようにする。
【実施例３】
【００７６】
また、循環型の換気装置として、クロスフローファンを縦方向に設けた換気装置の場合の例を以下に説明する。
【００７７】
すなわち、換気装置Ｃは、図１２〜図１４に示すように、２台のクロスフローファン３１０と、モータ３２０と、回転軸３３０と、筐体（カバー部）３４０とを有している。
【００７８】
ここで、クロスフローファン３１０は、複数のブレード３１２が円環状に配設されて形成された、いわゆる貫流ファンであり、２台のクロスフローファン３１０が同一軸線上に縦置きに連設された状態で設けられている。また、モータ３３０は、図１２及び図１３に示すように、上記クロスフローファン３１０の下側に同一軸線上に配設されていて、上記２台のクロスフローファン３１０と回転軸３３０によって連接され、上記２台のクロスフローファン３１０を回転駆動するように構成されている。
【００７９】
また、筐体３４０は、図１２〜図１４に示すように、上記２台のクロスフローファン３１０と上記モータ３２０を内包すべく、ステンレスによって外観略円筒状に形成されている。また、上記筐体３４０は、略円筒状の本体部３４２と、その頂部を封止する略ドーム状の蓋部３４４と、複数の取り付け用の孔３４６ａが形成されたフランジ部３４６が形成されている。さらに、上記筐体３４０には、空気を吸入する吸入口３４８と、空気を送出する排気口３５０及び端子台３５２が配設されている。
【００８０】
上記吸入口３４８は、略長方形状の複数のスリット３４８ａが上記２台のクロスフローファン３１０の高さ程度に渡って連続して形成されている。さらに、同様なスリット３４８ａが三列に配設されているため、縦長で大きい開口面積の上記吸入口３４８とすることが可能になる。また、上記排気口３５０は、上記吸入口３４８の対向する位置に、上記吸入口３４８と略同一な高さ方向及び幅方向の範囲で開口している。そのため、開口面積は上記吸入口３４８と略同一であり、空気滞留部において、上部から下部まで広い範囲で、効率的に送出することが可能になる。
【００８１】
また、この換気装置Ｃには、紫外線発生部が設けられ、この紫外線発生部は、ＬＥＤ電源供給回路（図示せず）と、ＬＥＤユニット３６０（図１４参照）とを有している。このＬＥＤ電源供給回路は、ＬＥＤユニット３６０におけるＬＥＤに電源を供給する回路である。また、ＬＥＤユニット３６０は、紫外線（具体的には、長波長紫外線）を発生するＬＥＤ（紫外線出力部）を有するものである。ＬＥＤユニット３６０は、図１４に示すように、筐体３４０における本体部３４２の吸入口３４８形成部分（吸入口形成部材）の内側に取り付けられていて、装置の内側、すなわち、クロスフローファン３１０側の方向に紫外線を出力するように取り付けられている。なお、ＬＥＤユニット３１０は、空気の流路においてクロスフローファン３１０よりも上流側に設けられているといえる。
【００８２】
上記構成の換気装置Ｃの動作について説明する。なお、換気装置Ｃは、床下空間に配置されているものとする。床下空間の具体的な位置としては、図８におけるＰ位置が挙げられる。まず、換気装置Ｃがオン状態の場合には、所定の電源（例えば、商用電源）によりモータ３２０が回転駆動され、これにより、クロスフローファン３１０が回転する。そして、クロスフローファン３１０が所定の方向に回転することにより、筐体３４０に設けられた吸入口３４８から空気が吸入され、排出口３５０から空気が排出される。以上のようにして、床下空間の空気が循環して換気される。
【００８３】
さらに、換気装置Ｃがオン状態となっている場合に、ＬＥＤ電源供給回路も動作され、ＬＥＤ電源供給回路からＬＥＤユニット３６０に電源が供給されて、ＬＥＤユニット３６０のＬＥＤが点灯される。すると、該ＬＥＤから紫外線が照射され、吸い込まれる空気に対して紫外線が照射される。これにより、換気装置Ｃを設置した空間（つまり、床下空間）内の浮遊菌の殺菌や該空間内のウイルスの不活化を行うことができ、結果として、該空間内におけるカビの発生・繁殖を防止したり、該空間内の消臭にも寄与できる。よって、床下空間はカビが発生しやすい環境にあるといえるが、換気装置Ｃを設置することにより、空間内の空気を浄化するので、カビの発生を防止でき、消臭も行なうことができるので、居住空間内にカビや悪臭が侵入することがなく、生活環境を向上させることができる。
【００８４】
特に、紫外線を照射する部材がＬＥＤにより構成されているので、寿命を長くすることができ、紫外線を照射する部材の取り替え頻度を少なくすることができる。また、該殺菌灯の場合には、割れる可能性があるが、ＬＥＤは容易には割れないので、安全である。また、本実施例では、紫外線を照射する部材がＬＥＤにより構成されるので、使用電力も小さくすることができ、省エネを実現することができる。また、使用電力が小さいので、その分発熱量も小さく、よって、火災等のおそれがなく安全である。
【００８５】
なお、上記のように、ＬＥＤユニット３６０は、筐体３４０の内側の面に取り付けられていて、いわば、クロスフローファン３１０により移送される空気の流路（移動空間としてもよい）内に設けられているので、空気を十分殺菌することが可能となる。
【００８６】
また、空気の流路においてクロスフローファン３１０よりも上流側にＬＥＤユニット３６０が設けられているので、その風速はクロスフローファン３１０の下流側に比べて低いため、単位体積当たりの空気に照射される紫外線の量をＬＥＤユニット３６０をクロスフローファン３１０の下流側に設ける場合に比べて多くでき、よって、殺菌やウイルス不活化の効率を高めることができる。また、クロスフローファン３１０の上流側の位置は、いわば吸入される空気が集積される空間であるため、該空間内にＬＥＤユニット３６０を設けることにより殺菌効率を高めることができる。また、仮にクロスフローファン３１０の下流側にＬＥＤユニット３６０があると、これが風の抵抗になって雑音が発生するおそれがあるが、ＬＥＤユニット３６０がクロスフローファン３１０の上流側に設けられているので、そのおそれもない。また、ＬＥＤユニット３６０が筐体３４０内に設けられているので、筐体３４０内の各部の殺菌も行なうことができる。また、ＬＥＤユニット３６０が、筐体３４０の裏面に装置の内側に向けて出力されるように設けられているので、紫外線が出力されている状態でも、換気装置Ｃの近くのユーザーの目に直接紫外線が当たることがなく、安全である。
【００８７】
なお、上記構成の換気装置Ｃにおいては、上記実施例１におけるマイナスイオン発生部を設けるようにしてもよい。
【図面の簡単な説明】
【００８８】
【図１】本発明の実施例１に基づく換気装置を示す斜視図である。
【図２】本発明の実施例１に基づく換気装置を示す分解斜視図である。
【図３】ルーバと上部カバー部と押え部を裏側から視認した状態を示す斜視図である。
【図４】下部ケース部の下面の状態を示す要部斜視図である。
【図５】本発明の実施例１に基づく換気装置を説明するための説明図である。
【図６】本発明の実施例１に基づく換気装置を示す斜視図であり、脚部を伸ばした状態を示す斜視図である。
【図７】本発明の実施例１に基づく換気装置を示す斜視図であり、脚部の一部を伸ばした状態を示す斜視図である。
【図８】本発明の実施例１に基づく換気装置の設置例を示す説明図である。
【図９】本発明の実施例２に基づく換気装置を示す斜視図である。
【図１０】本発明の実施例２に基づく換気装置を示す斜視図である。
【図１１】本発明の実施例２に基づく換気装置を示す断面図である。
【図１２】本発明の実施例３に基づく換気装置の側面視における側面図である。
【図１３】本発明の実施例３に基づく換気装置の後方視における側面図である。
【図１４】図１２におけるＸ−Ｘ断面図である。
【符号の説明】
【００８９】
Ａ、Ｂ１、Ｂ２、Ｃ  換気装置
１０  本体部
２０  ケース部
２２  下側ケース部
３０  上側ケース部
３２  支持部
３４  支持部本体
３６  突出部
４０  ルーバ
４４  上部カバー部
５０  押え部
６０  回転駆動部
６２  シロッコファン
６４、３２０  モータ
７０  マイナスイオン発生部
７２  放電部
７６  マイナスイオン発生回路
８０  紫外線発生部
８２、２５０、２５２、３６０  ＬＥＤユニット
８２ａ  ＬＥＤ
８４  ＬＥＤ電源供給回路
９０  制御回路
１００  脚部
１１０ａ、１１０ｂ、１１０ｃ  部分脚部
２１０  ベースパネル
２２０  ブラシレスモータ
２３０、３１０  クロスフローファン
２４０  カバー部
３４０  筐体
【図１】
2005257138.tif 000003
【図２】
2005257138.tif 000004
【図３】
2005257138.tif 000005
【図４】
2005257138.tif 000006
【図５】
2005257138.tif 000007
【図６】
2005257138.tif 000008
【図７】
2005257138.tif 000009
【図８】
2005257138.tif 000010
【図９】
2005257138.tif 000011
【図１０】
2005257138.tif 000012
【図１１】
2005257138.tif 000013
【図１２】
2005257138.tif 000014
【図１３】
2005257138.tif 000015
【図１４】
2005257138.tif 000016